(57)【特許請求の範囲】
【請求項１】
眼鏡レンズを収納可能な大きさの密閉容器を構成する本体部と、
前記本体部の中で眼鏡レンズを保持するレンズ保持部と、
前記本体部内に収納された多数の評価用粒子とを備え、
前記本体部は、上方に向けて開口する有底円筒状に形成され、２枚の眼鏡レンズを上下方向に並べて収容可能な筒体と、この筒体の上部の開口部分に固着された蓋体とによって構成されているとともに、前記レンズ保持部に保持された眼鏡レンズを本体部の外から視認可能とする透明部と、前記レンズ保持部に保持された眼鏡レンズとの間に前記評価用粒子が通過可能な空間部とを有し、
前記レンズ保持部は、前記筒体の底部から前記蓋体まで延びる上下方向に長い形状に形成されるとともに前記眼鏡レンズの外周部が嵌合するスリットが形成された、透明な２枚の支持板によって構成され、
前記スリットは、前記２枚の眼鏡レンズが上下方向に所定の間隔をおいて離間する状態で並ぶように形成され、
前記評価用粒子は、前記本体部が振られることによって、前記空間部を通りながら本体部内を移動して前記眼鏡レンズに接触し、この眼鏡レンズとの接触により静電気が発生する材料によって形成されかつ静電気によるクーロン力で前記眼鏡レンズに付着するものであることを特徴とする眼鏡レンズ用帯電状態検査具。
【請求項２】
請求項１記載の眼鏡レンズ用帯電状態検査具において、
前記レンズ保持部は、使用状態において、前記眼鏡レンズを水平に対して予め定めた角度で傾斜させて保持するものであることを特徴とする眼鏡レンズ用帯電状態検査具。
【請求項３】
請求項１または請求項２記載の眼鏡レンズ用帯電状態検査具において、前記本体部の内面は、帯電し難くなるように形成され、
前記本体部には、乾燥剤が前記評価用粒子とは隔絶される状態で収納されていることを特徴とする眼鏡レンズ用帯電状態検査具。
【請求項４】
請求項１ないし請求項３のうちいずれか一つの眼鏡レンズ用帯電状態検査具を使用して実施する眼鏡レンズの帯電状態検査方法であって、
眼鏡レンズと、前記眼鏡レンズとの接触により静電気が発生しかつ静電気によるクーロン力で前記眼鏡レンズに付着する材料からなる多数の評価用粒子とが収容された密閉容器を振ることによって、評価用粒子を眼鏡レンズに接触させて静電気を発生させ、眼鏡レンズに付着した前記評価用粒子の量で眼鏡レンズの帯電状態を検査することを特徴とする眼鏡レンズの帯電状態検査方法。
【発明の詳細な説明】
【技術分野】
【０００１】
本発明は、眼鏡レンズの帯電状態を検査するための眼鏡レンズ用帯電状態検査具および眼鏡レンズの帯電状態検査方法に関するものである。
【背景技術】
【０００２】
眼鏡レンズの表面には、静電気によるクーロン力で塵埃等が付着することを防ぐために、帯電防止処理を施すことがある。この帯電防止処理の効果の確認は、例えば特許文献１に記載されている帯電状態検査具を用いて行うことができる。
特許文献１に開示されている帯電状態検査具は、プラスチックレンズ（以下、単にレンズという）に静電気を発生させ、この静電気によるクーロン力で評価用の粒子をレンズに付着させるものである。静電気を発生させるためには、レンズを静電気発生部材で擦ることによって行われる。
【０００３】
前記評価用の粒子は、上方に向けて開口する容器に収容されている。この容器は、導電材料によって形成されている。この容器の開口部分は、網状の被覆部材で覆われている。
前記レンズは、前記被覆部材の上に載せられ、上述したように静電気発生部材によって擦られる。そして、このレンズに静電気が生じると、前記粒子がクーロン力で吸引されて被覆部材に付着する。
この帯電状態検査具において、レンズの帯電状態は、被覆部材に付着した粒子を目視で確認することによって検査することができる。
【先行技術文献】
【特許文献】
【０００４】
【特許文献１】特開２０１０−１２７８６３号公報
【発明の概要】
【発明が解決しようとする課題】
【０００５】
上述した帯電状態検査具では、主に下記の二つの問題があった。第１の問題点は、レンズに静電気を発生させるために静電気発生部材が必要であるから、静電気を簡単に発生させることができないことである。
【０００６】
第２の問題点は、複数のレンズについて帯電防止効果を正確に比較することが難しいことである。特許文献１に示す帯電状態検査具は、１枚のレンズしか検査することができないものである。このため、複数のレンズについて帯電状態を検査するためには、レンズの枚数分だけ帯電状態検査具を用意するか、１個の帯電状態検査具をレンズの枚数分だけ繰り返し使用して行う必要がある。
【０００７】
複数の帯電状態検査具を使用する場合、正確な結果を得るためには、評価用粒子の帯電状態を全ての帯電状態検査具で等しくなるようにしなければならない。しかし、このようなことは困難である。また、１個の帯電状態検査具を繰り返し使用すると、前記粒子の帯電状態が検査毎に変わってしまう。このため、この場合も正確な結果は得られない。さらに、作業者が静電気発生部材でレンズを擦るときに、加える力の大きさや擦る速度などを全てのレンズにおいて一定にすることは困難であるから、正確な結果を得ることは更に難しくなる。
【０００８】
本発明はこのような問題を解消するためになされたもので、評価用粒子が静電気によるクーロン力で眼鏡レンズに付着する原理を利用して帯電状態を検査するにあたって、眼鏡レンズに静電気を簡単に発生させることができるようにすることを第１の目的とする。また、複数の眼鏡レンズの帯電状態を正確に検査できるようにすることを第２の目的とする。
【課題を解決するための手段】
【０００９】
この目的を達成するために、本発明に係る眼鏡レンズ用帯電状態検査具は、眼鏡レンズを収納可能な大きさの密閉容器を構成する本体部と、前記本体部の中で眼鏡レンズを保持するレンズ保持部と、前記本体部内に収納された多数の評価用粒子とを備え、前記本体部は、上方に向けて開口する有底円筒状に形成され、２枚の眼鏡レンズを上下方向に並べて収容可能な筒体と、この筒体の上部の開口部分に固着された蓋体とによって構成されているとともに、前記レンズ保持部に保持された眼鏡レンズを本体部の外から視認可能とする透明部と、前記レンズ保持部に保持された眼鏡レンズとの間に前記評価用粒子が通過可能な空間部とを有し、前記レンズ保持部は、前記筒体の底部から前記蓋体まで延びる上下方向に長い形状に形成されるとともに前記眼鏡レンズの外周部が嵌合するスリットが形成された、透明な２枚の支持板によって構成され、前記スリットは、前記２枚の眼鏡レンズが上下方向に所定の間隔をおいて離間する状態で並ぶように形成され、前記評価用粒子は、前記本体部が振られることによって、前記空間部を通りながら本体部内を移動して前記眼鏡レンズに接触し、この眼鏡レンズとの接触により静電気が発生する材料によって形成されかつ静電気によるクーロン力で前記眼鏡レンズに付着するものであることを特徴とする。
【００１１】
本発明は、上記発明において、前記レンズ保持部は、使用状態において、前記眼鏡レンズを水平に対して予め定めた角度で傾斜させて保持するものであることを特徴とする。
【００１２】
本発明は、上記発明において、前記本体部の内面は、帯電し難くなるように形成され、前記本体部には、乾燥剤が前記評価用粒子とは隔絶される状態で収納されていることを特徴とする。
【００１３】
本発明に係る眼鏡レンズの帯電状態検査方法は、前記発明に係る眼鏡レンズ用帯電状態検査具を使用して実施する眼鏡レンズの帯電状態検査方法であって、眼鏡レンズと、前記眼鏡レンズとの接触により静電気が発生しかつ静電気によるクーロン力で前記眼鏡レンズに付着する材料からなる多数の評価用粒子とが収容された密閉容器を振ることによって、評価用粒子を眼鏡レンズに接触させて静電気を発生させ、眼鏡レンズに付着した前記評価用粒子の量で眼鏡レンズの帯電状態を検査する方法である。
【発明の効果】
【００１４】
本発明によれば、作業者が本体部を手で把持して例えば上下左右に振ることによって、評価用粒子が空間部を通って本体部内を移動し、眼鏡レンズに接触あるいは衝突する。評価用粒子が眼鏡レンズに接触あるいは衝突して眼鏡レンズに擦り付けられると、静電気が発生し、評価用粒子が静電気によるクーロン力で眼鏡レンズに付着する。眼鏡レンズに付着した評価用粒子は、透明部を通して本体部の外から目視することができる。
眼鏡レンズに付着する評価用粒子の量は、眼鏡レンズが帯電し易いほど多くなる。このため、眼鏡レンズに付着した評価用微粒子の量に基づいて眼鏡レンズの帯電状態を検査することができる。
【００１５】
したがって、本発明に係る眼鏡レンズ用帯電状態検査具によれば、本体部を振って評価用粒子を眼鏡レンズに当てるだけで眼鏡レンズに静電気を発生させることができるから、従来の帯電状態検査具で使用していた静電気発生部材は不要になる。このため、本発明によれば、眼鏡レンズと評価用粒子とを収容する本体部が実質的に静電気発生部材を兼ねるから、構成が単純になり、検査を簡単に行うことが可能な眼鏡レンズ用帯電状態検査具を提供することができる。
【００１６】
本発明に係る眼鏡レンズの帯電状態検査方法によれば、前記本体部を振るだけで静電気が発生するから、静電気発生部材で眼鏡レンズを擦って静電気を発生させる従来の方法と較べると、簡単に静電気を発生させることができ、検査を容易に行うことができる。
【図面の簡単な説明】
【００１７】
【図１】第１の参考例となる眼鏡レンズ用帯電状態検査具の検査前の状態を示す斜視図である。
【図２】第１の参考例となる眼鏡レンズ用帯電状態検査具の検査後の状態を示す斜視図である。
【図３】第２の参考例となる眼鏡レンズ用帯電状態検査具を示す正面図である。
【図４】眼鏡レンズ用帯電状態検査具の実施の形態を示す正面図である。
【図５】眼鏡レンズ用帯電状態検査具の実施の形態を示す側面図である。
【発明を実施するための形態】
【００１８】
（第１の参考例）
先ず、本発明に係る眼鏡レンズ用帯電状態検査具および眼鏡レンズの帯電状態検査方法の第１の参考例を図１および図２によって詳細に説明する。
図１に示す眼鏡レンズ用帯電状態検査具１は、本体部２と、この本体部２の中で眼鏡用プラスチックレンズ（以下、単に眼鏡レンズという）３を保持するレンズ保持部４と、前記本体部２内に収納された多数の評価用粒子５とを備えている。
【００１９】
前記本体部２は、眼鏡レンズ３を収納可能な大きさの密閉容器を構成している。この本体部２は、透明なプラスチック材料によって中空の円柱状に形成されている。すなわち、前記本体部２は、前記レンズ保持部４に保持された眼鏡レンズ３を本体部２の外から視認可能となるように構成されている。この第１の参考例においては、本体部２の全体によって「透明部」が構成されている。本体部２を形成する材料としては、透明なアクリル樹脂を用いることができる。
【００２０】
前記本体部２の内径は、眼鏡レンズ３の外径より大きく形成されており、本体部２の内周面と、前記レンズ保持部４に保持された眼鏡レンズ３との間には隙間６が形成されている。この隙間６は、後述する評価用粒子５が通過可能な広さに形成されている。この第１の参考例においては、前記隙間６によって、「空間部」が構成されている。
前記本体部２の内面は、帯電し難くなるように形成されている。この第１の参考例の形態による本体部２の内面は、帯電防止剤（図示せず）が塗布されることによって、帯電し難くなっている。
【００２１】
前記本体部２の下端部内には、乾燥剤７が前記評価用粒子５とは隔絶される状態で収納されている。乾燥剤７は、例えばシリカゲルや炭酸カルシウムなどが用いられる。この乾燥剤７が評価用粒子５は隔絶されるようにするためには、乾燥剤７を風袋（図示せず）などに入れることによって実現できる。風袋は、本体部２の底部分に固定することが好ましい。
【００２２】
前記レンズ保持部４は、眼鏡レンズ３の外周部の２箇所を支えている。このレンズ保持部４を形成する材料は、前記本体部２と同一の材料である。この第１の参考例によるレンズ保持部４は、本体部を例えば作業台（図示せず）に載置した使用状態において、眼鏡レンズ３を水平に対して予め定めた角度で傾斜させて保持している。眼鏡レンズ３を傾斜させる角度は、３０°〜９０°が好ましい。
【００２３】
眼鏡レンズ３の傾斜角度が３０°より小さいと、眼鏡レンズ３に付着した評価用粒子５の上に重なる余分な評価用粒子５を重力で眼鏡レンズ３の下に落下させることができなくなるおそれがある。眼鏡レンズ３の傾斜角度が６０°を越えると、静電気によるクーロン力がそれほど大きく作用していない評価用粒子５は重力で落下する。しかし、前記クーロン力が強く作用する評価用粒子５は、傾斜角度が９０°であっても落下することはないから、傾斜角度が６０°〜９０°の範囲内であっても検査を行うことは可能である。
【００２４】
前記評価用粒子５は、発泡スチロール製の微小な球状の粒によって構成されている。評価用粒子５の粒径は、0.1〜2ｍｍの範囲内であることが望ましい。この評価用粒子５の形状は、どのような形状でもよい。また、評価用粒子５は、発泡スチロール製のものに限定されることはない。すなわち、評価用粒子５は、眼鏡レンズ３との接触により静電気が発生する材料によって形成され、かつ静電気によるクーロン力で前記眼鏡レンズ３に付着するものであれば、どのようなものでも使用することができる。
【００２５】
このように構成された眼鏡レンズ用帯電状態検査具１を用いて眼鏡レンズ３の帯電状態を検査するためには、先ず、作業者（図示せず）が本体部２を手で把持して例えば上下左右に振る。このように本体部２が振られることによって、評価用粒子５が前記隙間６（空間部）を通りながら本体部２内を激しく移動し、眼鏡レンズ３の上面と下面とに接触あるいは衝突する。
【００２６】
評価用粒子５が眼鏡レンズ３に接触あるいは衝突して眼鏡レンズ３に擦り付けられると、静電気が発生し、図２に示すように、評価用粒子５が静電気によるクーロン力で眼鏡レンズ３に付着する。眼鏡レンズ３に付着した評価用粒子５は、本体部２の周壁２ａや上壁２ｂを通して本体部２の外から目視することができる。
眼鏡レンズ３に付着する評価用粒子５の量は、眼鏡レンズ３が帯電し易いほど多くなる。このため、眼鏡レンズ３に付着した評価用粒子５の量に基づいて眼鏡レンズ３の帯電状態を検査、評価することができる。
【００２７】
したがって、この第１の参考例による眼鏡レンズ用帯電状態検査具１によれば、本体部２を振って評価用粒子５を眼鏡レンズ３に当てるだけで眼鏡レンズ３に静電気を発生させることができるから、従来の帯電状態検査具で使用していたような静電気発生部材は不要である。このため、この第１の参考例によれば、眼鏡レンズ３と評価用粒子５とを収容する本体部２が実質的に静電気発生部材を兼ねるから、構成が単純になり、検査を簡単に行うことが可能な眼鏡レンズ用帯電状態検査具１を提供することができる。
【００２８】
また、この第１の参考例による眼鏡レンズ３の帯電状態検査方法は、眼鏡レンズ３と多数の評価用粒子５とが収容された本体部２を振ることによって、評価用粒子５を眼鏡レンズ３に接触させて静電気を発生させ、眼鏡レンズ３に付着した評価用粒子５の量で眼鏡レンズ３の帯電状態を検査する方法である。このため、この方法によれば、静電気発生部材で眼鏡レンズを擦って静電気を発生させる従来の方法と較べると、本体部２を振るという簡単な動作で静電気を発生させることができるから、静電気を速くかつ確実に発生させることが可能になり、検査を速くかつ正確に行うことができる。
また、この第１の参考例においては、評価用粒子５が本体部２の外に出ることはないから、帯電状態の検査を行うときの周辺環境が評価用粒子５で汚されることがない。
【００２９】
この第１の参考例による前記レンズ保持部４は、使用状態において眼鏡レンズ３を水平に対して予め定めた角度で傾斜させて保持するものである。このため、本体部２を振り終えて例えば作業台に載置することによって、眼鏡レンズ３に付着していない評価用粒子５が眼鏡レンズ３の上から落下して取り除かれる。すなわち、この第１の参考例によれば、眼鏡レンズ３に付着している評価用粒子５は、静電気によるクーロン力で眼鏡レンズ３に付着したもののみとなるから、評価用粒子５の付着量を正しく評価することができる。
【００３０】
この第１の参考例による前記本体部２の内面は、帯電し難くなるように形成され、前記本体部２には、乾燥剤７が前記評価用粒子５とは隔絶される状態で収納されている。このため、本体部２を振ったときに評価用粒子５が静電気によるクーロン力で本体部２の内面に付着することを防ぐことができる。この結果、本体部２（透明部）を通して眼鏡レンズ３を見るときに本体部２内が明瞭になるから、眼鏡レンズ３の帯電性を正確に評価することができる。
【００３１】
また、この第１の参考例によれば、本体部２内が前記乾燥剤７によって乾燥させられ、本体部２内の湿度が低く保たれるから、湿度の影響で帯電効果が変化することを防ぐことができる。このため、この第１の参考例による眼鏡レンズ用帯電状態検査具１によれば、季節による影響を受けることなく通年にわたって眼鏡レンズ３の帯電状態を検査することが可能になる。
【００３２】
（第２の参考例）
眼鏡レンズ用帯電状態検査具は、図３に示すように構成することができる。図３において、前記図１および図２によって説明したものと同一もしくは同等の部材については、同一符号を付し詳細な説明を適宜省略する。
【００３３】
図３に示す眼鏡レンズ用帯電状態検査具１は、複数の眼鏡レンズ３について一度に検査を行うことができるものである。図３に示す本体部２は、水平方向に長い中空の円柱状に形成されている。この本体部２の内部には、複数の眼鏡レンズ３がレンズ保持部４によって保持された状態で収納されている。
【００３４】
この第２の参考例によるレンズ保持部４は、複数の眼鏡レンズ３を予め定めた間隔をおいて水平方向に並べて保持するものである。この第２の参考例においては、２枚の眼鏡レンズ３，３が同じ高さの位置に並べられている。これらの眼鏡レンズ３のうち、図３において右側に位置する眼鏡レンズ３Ｒは、帯電防止処理が施されていて帯電防止効果が高いものである。他方のレンズ３Ｌは、帯電防止処理が施されていないものである。
【００３５】
このように複数の眼鏡レンズ３，３を本体部２内に収納する形態であっても、眼鏡レンズ３を帯電させるにあたっては、本体部２を例えば上下左右に振ることによって行う。本体部２が振られると、評価用粒子５が両方の眼鏡レンズ３に略均等に接触あるいは衝突する。このため、この第２の参考例においては、複数の眼鏡レンズ３について、同一の検査条件で検査を行うことができる。ここでいう検査条件とは、評価用粒子５の帯電状態や、評価用粒子５が本体部２内で攪拌されて眼鏡レンズ３に当たるときの状態や、眼鏡レンズ３の周囲の湿度などである。
【００３６】
評価用粒子５が眼鏡レンズ３に接触あるいは衝突して眼鏡レンズ３に擦り付けられると、静電気が発生し、評価用粒子５が静電気によるクーロン力で眼鏡レンズ３に付着する。このとき、評価用粒子５は、帯電防止処理が施された眼鏡レンズ３Ｒに付着することはなく、主に他方の帯電防止処理が施されていない眼鏡レンズ３Ｌに付着する。このため、評価用粒子５が眼鏡レンズ３に付着している状態を目視で確認することによって、複数の眼鏡レンズ３の帯電状態を簡単に比較して検査することができる。
【００３７】
（本発明の実施の形態）
本発明に係る眼鏡レンズ用帯電状態検査具は、図４および図５に示すように形成することができる。図４および図５において、前記図１〜図３によって説明したものと同一もしくは同等の部材については、同一符号を付し詳細な説明を適宜省略する。
【００３８】
図４と図５に示す眼鏡レンズ用帯電状態検査具１の本体部２は、上方に向けて開口する有底円筒状の筒体１１と、この筒体１１の上部の開口部分に固着された蓋体１２とによって構成されている。前記筒体１１と蓋体１２を形成する材料は、透明なアクリル樹脂である。前記筒体１１は、眼鏡レンズ３を上下方向に並べて収納できるように、上下方向に長く形成されている。蓋体１２は、筒体１１の上部の開口部分を閉塞しており、筒体１１と協働して密閉容器を構成している。この実施の形態においては、筒体１１と蓋体１２とによって、本発明でいう「透明部」が構成されている。
【００３９】
筒体１１の底部には、通気性を有する隔壁１３が設けられている。この隔壁１３と筒体１１の底壁１１ａとの間には乾燥剤７が充填されている。隔壁１３を挟んで底壁１１ａとは反対側は、眼鏡レンズ３と評価用粒子５とが収納された検査用空間になっている。乾燥剤７は、シリカゲルや炭酸カルシウムなどが用いられる。なお、この乾燥剤７は、通気性を有する風袋（図示せず）などに入れた状態で底壁１１ａに固定することもできる。この場合は、前記隔壁１３は不要になる。
【００４０】
この実施の形態によるレンズ保持部４は、２枚の支持板１４，１５によって構成されている。これらの支持板１４，１５は、透明なアクリル樹脂によって形成されており、前記筒体１１の底壁１１ａと蓋体１２とに接着されて固定されている。これらの支持板１４，１５が眼鏡レンズ３を支持する構造は、支持板１４，１５に形成されたスリット１６（図５参照）に眼鏡レンズ３の外周部を嵌合させる構造である。
【００４１】
前記スリット１６は、２枚の眼鏡レンズ３が上下方向に所定の間隔をおいて離間する状態で並ぶように形成されている。また、このスリット１６は、本体部２を例えば作業台（図示せず）に載置させた使用状態において、眼鏡レンズ３の水平に対する傾斜角度θ（図５参照）が約４５°となるように形成されている。この傾斜角度θは、３０°〜９０°の範囲内であれば適宜変更することができる。
【００４２】
この実施の形態で示すように眼鏡レンズ３を上下方向に並べて保持する構成の眼鏡レンズ用帯電状態検査具であっても、図１〜図３に示した参考例の構成を採るときと同等の効果が得られる。
なお、上述した第１および第２の参考例と実施の形態においては、本体部とレンズ保持部とを透明なアクリル樹脂によって形成する例を示したが、これらを形成する材料は適宜変更することができる。例えば、本体部は、帯電することがないように導電性を有する材料によって形成することができる。この場合は、本体部に透明な材料からなる透明部を設ける。
【符号の説明】
【００４３】
１…眼鏡レンズ用帯電状態検査具、２…本体部、３…眼鏡レンズ、４…レンズ保持部、５…評価用粒子、６…隙間、７…乾燥剤、１１…筒体、１２…蓋体、１４，１５…支持板。
【図１】
0005912024.tif 000002
【図２】
0005912024.tif 000003
【図３】
0005912024.tif 000004
【図４】
0005912024.tif 000005
【図５】
0005912024.tif 000006